(57)【特許請求の範囲】
【請求項１】
壁パネルの表面に予め胴縁を介して外装材が取り付けられた外装材付き壁パネルであって、
壁パネルの側端部に、該壁パネルの側端部から外方に延出可能に設けられた延出胴縁が設けられており、該延出胴縁は前記胴縁と所定の間隔を隔てて設けられていることを特徴とする外装材付き壁パネル。
【請求項２】
請求項１記載の外装材付き壁パネルにおいて、
前記延出胴縁は、長尺な板材からなり、一方の端部を支点にして回転させることで、前記壁パネルの外方に延出可能に設けられていることを特徴とする外装材付き壁パネル。
【請求項３】
請求項１または２記載の外装材付き壁パネルと他の外装材付き壁パネルとを接合する接合方法であって、
請求項１または２記載の外装材付き壁パネルの側端部側に位置する外装材の側端部には下実が形成されており、他の外装材付き壁パネルの側端部側に位置する外装材の側端部には上実が形成されており、
前記請求項１または２記載の外装材付き壁パネルと他の外装材付き壁パネルとをそれらの側端面どうしを突き合わせて接合した後、前記延出胴縁を他の外装材付き壁パネル側に延出させ、
次に、前記下実が形成された外装材と前記上実が形成された外装材との間に、一方の側端部に上実が他方の側端部に下実が形成された現場貼り外装材を取り付けるに際し、
前記現場貼り外装材の下実を前記他の外装材付き壁パネルの外装材の上実の下側に差し込んだうえで、該現場貼り外装材の上実を前記請求項１または２記載の外装材付き壁パネルの外装材の下実上に重ね合わせ、
次に、前記現場貼り外装材を前記延出胴縁に固定することを特徴とする外装材付き壁パネルの接合方法。
【請求項４】
請求項１または２記載の外装材付き壁パネルと他の外装材付き壁パネルとを接合してなる接合構造であって、
請求項１または２記載の外装材付き壁パネルの側端部側に位置する外装材の側端部には下実が形成されており、他の外装材付き壁パネルの側端部に位置する外装材の側端部には上実が形成されており、
請求項１または２記載の外装材付き壁パネルと他の外装材付き壁パネルとはそれらの側端面どうしを突き合わせて接合されており、かつ、前記延出胴縁が他の外装材付き壁パネル側に延出されており、
一方の側端部に上実が他方の側端部に下実が形成された現場貼り外装材は、その下実を前記他の外装材付き壁パネルの外装材の上実の下側に差し込んだうえで、該現場貼りの外装材の上実を前記請求項１または２記載の外装材付き壁パネルの外装材の下実上に重ね合わせ、さらに、前記延出胴縁に固定されていることを特徴とする外装材付き壁パネルの接合構造。
【請求項５】
請求項３記載の外装材付き壁パネルの接合方法において、
前記外装材付き壁パネルには、それぞれ防水透湿シートが外装材付き壁パネルの側端部から延出するようにして取り付けられており、
請求項１または２記載の外装材付き壁パネルと他の外装材付き壁パネルをそれらの側端面どうしを突き合わせて接合した後、
前記防水透湿シートどうしを重ね合わせた上で、前記延出胴縁を他の外装材付き壁パネル側に延出させることを特徴とする外装材付き壁パネルの接合方法。
【発明の詳細な説明】
【０００１】
【発明の属する技術分野】
本発明は、予め外装材が壁パネルの表面に取り付けられた外装材付き壁パネル、外装材付き壁パネルの接合方法および接合構造に関する。
【０００２】
【背景の技術】
周知のように、住宅の構築についてはその工業化が進み、例えば、壁や床、屋根といった構成要素を予め工場にてパネル化しておき、施工現場でこれらのパネルを組み合わせることによって、住宅を構築するといったパネル工法が一部に採用されている。近年、さらに工業化が進み、例えば、特開平１１−２７００２５号公報に記載の技術で知られるように、予め工場段階で、図５に示すように壁パネル１１０の表面に防水透湿シート１０１、胴縁１０２、外装材１０３を取り付けた状態で、建築現場に搬入する方法が進められ、現場での建築工数の削減、工期の短縮が図られている。この外装材付き壁パネル１０５を他の外装材付き壁パネル２０５に接合する際には、前記外装材付き壁パネル１０５の接合部３００側の側端部に設けられた突出部（ガゼット）１０４を他の外装材付き壁パネル２０５の壁パネル２１０に固着させていた。そして、この接合部３００には、胴縁３０２を取り付けて外装材３０３を胴縁３０２に固定させていた。
【０００３】
【発明が解決しようとする課題】
ところで、現場で外装材３０３を取り付けるためには、外装材付き壁パネル１０５、２０５を互いに接合した後、上述したように、接合部３００に複数の胴縁３０２を位置決めしながら、１本ずつ取り付けなければ成らず手間のかかるものとなっていた。さらに、ガゼット１０４は前記外装材付き壁パネル１０５の壁パネル１１０から外方へ突出して設けられているため、前記外装材付き壁パネル１０５を搬送したり、現場で外装材付き壁パネル１０５を吊り込んで所定の位置に立設する際に、損傷しやすいという課題があった。
【０００４】
また、前記外装材付き壁パネル１０５に予め取り付けられている外装材１０３は、一方の側端部には上実（図示略）が形成されており、他の側端部には下実１０３ｂが形成されているものが用いられている。これらの外装材１０３は壁パネル１１０に、上実と下実１０３ｂとを互いに重なり合わせるようにする合決りはぎによって取り付けられている。しかし、前記外装材付き壁パネル１０５の接合部３００側に位置する外装材１０３の側端部と、他の外装材付き壁パネル２０５の接合部３００側に位置する外装材２０３の側端部にはそれぞれ下実１０３ｂ、２０３ｂが形成されており、該接合部３００に現場で取り付ける外装材３０３の両側部には上実３０３ａが形成されたものを使用している。このため、外装材１０３、２０３、３０３は、一方の側端部には下実１０３ｂが形成され、他方の側端部には上実が形成されたものと、両側部に下実２０３ｂが形成されたものと、両側部に上実３０３ａが形成されたものと、３種類の外装材１０３、２０３、３０３を用意しなければならず部品点数が増加し、コスト増につながっていた。
本発明の課題は、外装材付き壁パネルと他の外装材付き壁パネルを現場で接合する際に、現場での施工効率をより高めるとともに、一種類の外装材を用いることができ部品点数の増加を防ぐことのできる外装材付き壁パネル、外装材付き壁パネルの接合方法および接合構造を提供するものである。
【０００５】
【課題を解決するための手段】
上記課題を解決するために、請求項１記載の発明は、例えば、図１〜図４に示すように、壁パネル１１の表面に予め胴縁１３を介して外装材４が取り付けられた外装材付き壁パネル１であって、壁パネル１１の側端部に、該壁パネル１１の側端部から外方に延出可能に設けられた延出胴縁２が設けられており、該延出胴縁２は前記胴縁１３と所定の間隔を隔てて設けられていることを特徴とする。
【０００６】
請求項１記載の発明によれば、前記延出胴縁２は、壁パネル１１の側端部から外方に延出可能に設けられているので、この外装材付き壁パネル１を他の外装材付き壁パネル５と接合する際には、前記外装材付き壁パネル１の側端面１ａと他の外装材付き壁パネル５の側端面５ａとを突き合わせて接合した後、この延出胴縁２を他の外装材付き壁パネル５の壁パネル１１の側に延出させて、該延出胴縁２を延出させた状態で他の外装材付き壁パネル５に固定すればよく、該接合部３０に現場で延出胴縁２を取り付けるのが容易であり手間を省力することができる。つまり、従来のように、前記外装材付き壁パネル１と他の外装材付き壁パネル５とを接合した後に、該接合部３０に新たに胴縁を取り付けるために位置決めを行って、複数の胴縁を１本ずつ壁パネルに固定する必要がなく、現場での作業が容易で、施工効率をより高めることができる。
また、延出胴縁２は、該壁パネル１１の側端部から延出可能に設けられているので、他の外装材付き壁パネル５と接合するときにのみ該壁パネル１１の側端部から外方に延出させることができる。したがって、前記外装材付き壁パネル１を搬送する際や、現場で所定の位置に吊り込む際などに、延出胴縁２が壁パネル１１から突出して邪魔になることがなく、延出胴縁２自体の損傷を防ぐことができるとともに、他の外装材付き壁パネル５等に当たり例えば外装材４などを損傷させるのを防ぐことができる。
【０００７】
請求項２記載の発明は、例えば図１〜図３に示すように、請求項１記載の外装材付き壁パネル１において、前記延出胴縁２は、長尺な板材からなり、一方の端部２１を支点にして回転させることで、前記壁パネル１１の外方に延出可能に設けられていることを特徴とする。
【０００８】
請求項２記載の発明によれば、前記外装材付き壁パネル１に他の外装材付き壁パネル５を接合した後に、前記延出胴縁２を一方の端部２１を支点にして延出胴縁２を回転させることで、他の外装材付き壁パネル５に延出させることができる。このように延出された延出胴縁２の他方の端部２２を他方の外装材付き壁パネル５の壁パネル５１に固定するだけで、前記接合部３０に延出胴縁２を容易に取り付けることができる。したがって、外装材付き壁パネル１と他の外装材付き壁パネル５との接合部３０に現場で新たに複数の胴縁を位置決めして１本ずつ取り付ける手間を省力することができ、現場での施工効率を向上させることができる。
また、前記延出胴縁２は、一方の端部２１を支点として回転可能に設けられているので、外装材付き壁パネル１を搬送する際や、現場で所定の位置に吊り込む際には、延出胴縁２を外装材付き壁パネル１の側端部から外方に突出しないようにしておけば、該延出胴縁２が邪魔にならず、延出胴縁２が損傷するのを防ぐことをできる。
【０００９】
請求項３記載の発明は、例えば、図２〜図４に示すように、請求項１または２記載の外装材付き壁パネル１と他の外装材付き壁パネル５とを接合する接合方法であって、請求項１または２記載の外装材付き壁パネル１の側端部側に位置する外装材１４の側端部には下実１４ｂが形成されており、他の外装材付き壁パネル５の側端部側に位置する外装材５４の側端部には上実５４ａが形成されており、前記請求項１または２記載の外装材付き壁パネル１と他の外装材付き壁パネル５とをそれらの側端面１ａ、５ａどうしを突き合わせて接合した後、前記延出胴縁２を他の外装材付き壁パネル５側に延出させ、次に、前記下実１４ｂが形成された外装材１４と前記上実５４ａが形成された外装材５４との間に、一方の側端部に上実３ａが他方の側端部に下実３ｂが形成された現場貼り外装材３を取り付けるに際し、前記現場貼り外装材３の下実３ｂを前記他の外装材付き壁パネル５の外装材５４の上実５４ａの下側に差し込んだうえで、該現場貼り外装材３の上実３ａを前記請求項１または２記載の外装材付き壁パネル１の外装材１４の下実１４ｂ上に重ね合わせ、次に、前記現場貼り外装材３を前記延出胴縁２に固定することを特徴とする。
【００１０】
請求項３記載の発明によれば、前記外装材付き壁パネル１の側端部側に位置する外装材１４の側端部には下実１４ｂが形成されており、他の外装材付き壁パネル５の側端部側に位置する外装材５４の側端部には上実５４ａが形成されている。そして、前記外装材付き壁パネル１と他の外装材付き壁パネル５とをそれらの側端面１ａ、５ａどうしを突き合わせて接合した後に、前記延出胴縁２を他の外装材付き壁パネル５に延出して他方の端部２２を固定することができる。そして、このように固定された延出胴縁２に、前記現場貼り外装材３の下実３ｂを他の外装材付き壁パネル５の外装材５４の上実５４ａの下側に差し込み、現場貼り外装材３の上実３ａを前記外装材付き壁パネル１の外装材１４の下実１４ｂ上に重ね合わせて取り付けることができる。したがって、外装材付き壁パネル１、５に予め取り付けられている外装材４と、接合部３０側に位置する外装材１４、５４と、現場貼り外装材３とをそれぞれ一方の側端部に上実３ａ、５４ａが、他方の側端部には下実３ｂ、１４ｂが形成されたものを用いることができるので、一種類の外装材３、４、１４、５４を用意すればよく、部品点数を減少させることができ、コスト低減を達成することができる。
また、前記現場貼り外装材３は、前記延出胴縁２に固定すればよく、該延出胴縁２は前記外装材付き壁パネル１から他の外装材付き壁パネル５に延出させて他の端部２２を固定すれば容易に取り付けることができるので、施工の手間が省力され、現場での施工効率を向上させることができる。
【００１１】
請求項４記載の発明は、例えば図２〜図４に示すように、請求項１または２記載の外装材付き壁パネル１と他の外装材付き壁パネル５とを接合してなる接合構造であって、請求項１または２記載の外装材付き壁パネル１の側端部側に位置する外装材１４の側端部には下実１４ｂが形成されており、他の外装材付き壁パネル５の側端部に位置する外装材５４の側端部には上実５４ａが形成されており、請求項１または２記載の外装材付き壁パネル１と他の外装材付き壁パネル５とはそれらの側端面１ａ、５ａどうしを突き合わせて接合されており、かつ、前記延出胴縁２が他の外装材付き壁パネル５側に延出されており、一方の側端部に上実３ａが他方の側端部３ｂに下実が形成された現場貼り外装材３は、その下実３ｂを前記他の外装材付き壁パネル５の外装材５４の上実５４ａの下側に差し込んだうえで、該現場貼り外装材３の上実３ａを前記請求項１または２記載の外装材付き壁パネル１の外装材１４の下実１４ｂ上に重ね合わせ、さらに、前記延出胴縁２に固定されていることを特徴とする。
【００１２】
請求項４記載の発明によれば、前記外装材付き壁パネル１に予め取り付けられた外装材４のうち、側端部側に位置する外装材１４の側端部には下実１４ｂが形成されており、他の外装材付き壁パネル５の側端部に位置する外装材５４の側端部には上実５４ａが形成されている。また、前記外装材付き壁パネル１の側端面１ａと他の外装材付き壁パネル５の側端面５ａと突き合わせて接合した接合部３０に取り付けられる現場貼り外装材３の一方の側端部には上実３ａが形成されており、他方の側端部には下実３ｂが形成されている。したがって、外装材付き壁パネル１に予め取り付けるものとする外装材４、１４、５４と同様のものを、現場貼り外装材３として使用することができるので、部品点数の増加を防ぐことができ、コスト低減を達成することができる。
そして、この現場貼り外装材３は、他の外装材付き壁パネル５に延出されて固定された延出胴縁２に取り付ければよいので、現場で胴縁１３を新たに位置決めをして１本ずつ取り付けるといった手間を省力することができるので、現場での施工効率を向上させることができる。
【００１３】
請求項５記載の発明は、例えば、図２および図３に示すように、請求項３記載の外装材付き壁パネル１の接合方法において、前記外装材付き壁パネル１には、それぞれ防水透湿シート１２が外装材付き壁パネル１の側端部から延出するようにして取り付けられており、請求項１または２記載の外装材付き壁パネル１と他の外装材付き壁パネル５をそれらの側端面１ａ、５ａどうしを突き合わせて接合した後、前記防水透湿シート１２どうしを重ね合わせた上で、前記延出胴縁２を他の外装材付き壁パネル５側に延出させることを特徴とする。
【００１４】
請求項５記載の発明によれば、前記外装材付き壁パネル１には、それぞれ防水透湿シート１２が外装材付き壁パネル１の側端部から延出するようにして取り付けられており、前記外装材付き壁パネル１どうしを接合した後に、この防水透湿シート１２どうしを重ね合わせた上で、前記延出胴縁２を他の外装材付き壁パネル５側に延出させるので、これら防水透湿シート１２、５２を延出胴縁２で押さえることができる。このため、重ね合わされた防水透湿シート１２、５２をタッカー打ちなどして壁パネル１１、５１に取り付けるのが容易であり、従来のように防水透湿シート１２を重ね合わせて、それらがずれないように手で押さえながらタッカー打ち等をして壁パネル１１、５１に取り付けるといった煩雑な手間を必要とせず、現場での施工効率が向上する。
【００１５】
【発明の実施の形態】
以下、図面を参照して本発明の、外装材付き壁パネル１、外装材付き壁パネル１の接合方法、および外装材付き壁パネルの接合構造の実施の形態について詳細に説明する。
図１〜４に示す本発明の外装材付き壁パネル１は、パネル工法により構築される住宅の壁面に適用されるものである。パネル工法とは周知のように、壁や床、屋根などの構成要素を予め工場でパネルとして製作しておき、住宅の構築現場でパネルを組み合わせて、パネルどうしを接着剤とボルトまたは釘によって接合する住宅の施工方法で、建築現場での施工作業を省力化することのできる利点がある。
【００１６】
前記外装材付き壁パネル１は、図示しない住宅の壁面をなし、工場段階で予め壁パネル１１の表面に防水透湿シート１２が貼設され（図２および図３参照）、さらに複数の胴縁１３が水平方向に所定の間隔を隔てて壁パネル１１に貼設され、この胴縁１３に外装材４が取り付けられてなるものである。
また、前記壁パネル１１は、縦横の框材を矩形状に組み立てるとともに、矩形枠の内部に補助桟材を縦横に組み付けられてなる枠体の少なくとも一方の面に面材が貼り付けられたもので、工場等で製造されるものである。
本実施の形態では、この外装材付き壁パネル１の略中央部には掃き出し窓１５が予め工場段階で取り付けられている。
【００１７】
前記外装材付き壁パネル１の表面に予め取り付けられている外装材４は、縦長に形成されたパネル状のもので、一方の側端部には上実（図示略）が形成されており、他方の側端部には下実（図示略）が形成されている。この上実と下実とを重なり合わせるようにして、胴縁１３に釘打ち等によって固定されている。
また、外装材付き壁パネル１に他の外装材付き壁パネル５を接合する際の接合部３０側に位置する外装材１４の側端部には下実１４ｂが形成されており、前記外装材付き壁パネル１の接合部３０側に位置する胴縁１３は接合部３０側に位置する外装材１４の下実１４ｂから突出するように壁パネル１１に取り付けられている。
【００１８】
また、前記壁パネル１１の側端部には長尺な板材からなる複数の延出胴縁２が前記胴縁１３の側端部から所定の間隔を隔てて取り付けられている。この延出胴縁２の一方の端部２１は前記壁パネル１１の表面にビスによって回転可能に固定されており、図３に示すように、この一方の端部２１を支点としてこの延出胴縁２を回転させることで前記壁パネル１１の外方に延出させることができるようになっている。
前記防水透湿シート１２は、水は透過させないが、水蒸気は透過させることができるミクロポアを有するシートからなるもので、具体的にはタイベック（商品名：デュポン社製）等からなるものである。この防水透湿シート１２は、壁パネル１１の略全面にタッカー打ち或いは接着剤等によって貼設されており、前記外装材付き壁パネル１の側端部から外方に延出するようにして設けられている。
【００１９】
上記構成を有する外装材付き壁パネル１を他の外装材付き壁パネル５に接合する本実施の形態の外装材付き壁パネル１の接合方法は以下の手順に従う。
ここで、図２〜図４に示す、他の外装材付き壁パネル５は、前記外装材付き壁パネル１と同様に、壁パネル５１の表面に予め、防水透湿シート５２が貼設され、その上に胴縁５３が取り付けられ、この胴縁５３に外装材５４が取り付けられている。また、この他の外装材付き壁パネル５の略中央部には腰高窓５５が予め工場段階で取り付けられており、この構成の外装材付き壁パネル５が現場へ搬送されるものである。
他の外装材付き壁パネル５に貼設された防水透湿シート５２は、前記防水透湿シート１２と同様の素材からなるもので、この他の外装材付き壁パネル５から外方へ延出するようにして取り付けられている。また、図４に示すように、他の外装材付き壁パネル５の接合部３０側に位置する外装材５４の側端部には上実５４ａが形成されており、上実５４ａの部分は前記胴縁５３から突出するように設けられている。
【００２０】
まず、前記外装材付き壁パネル１と他の外装材付き壁パネル５の側端面１ａ、５ａのうち、どちらか一方の側端面１ａに接着剤を塗布して、図２に示すように、側端面１ａ、５ａどうしを突き合わせる。釘を前記外装材付き壁パネル１から他の外装材付き壁パネル５へ、また、他の外装材付き壁パネル５から前記外装材付き壁パネル１へそれぞれ斜め打ちして、壁パネル１０５１どうしを互いに接合する。
【００２１】
次に、他の外装材付き壁パネル５から延出するように設けられた前記防水透湿シート５２を前記外装材付き壁パネル１の壁パネル１０に延出させて、タッカー打ちもしくは接着剤等により貼着させる。そして、この防水透湿シート５２に前記外装材付き壁パネル１から延出するように設けられた防水透湿シート１２を重なり合わせる。
次に、図３に示すように、前記延出胴縁２を一方の端部２１を支点として回転させて、ぶら下がった状態から水平に立ち上げて、重ね合わされた防水透湿シート１２、５２を押さえる。これらの重ね合わされた防水透湿シート１２、５２はタッカー打ち等によって壁パネル１１、５１に取り付ける。
そして、このように、他の外装材付き壁パネル５に延出された延出胴縁２の他方の端部２２を他の外装材付き壁パネル５の壁パネル１１にビス等の止着材で固定する。このとき、図４に示すように、前記延出胴縁２の他方の端部２２と他の外装材付き壁パネル５に取り付けられた胴縁５３との間には所定の間隔が設けられている。
【００２２】
次に、一方の側端部に上実３ａが形成され、他方の側端部に下実３ｂが形成された現場貼り外装材３を、前記外装材付き壁パネル１の接合部３０側に位置する外装材１４と、前記他の外装材付き壁パネル５の接合部３０側に位置する外装材５４との間に、以下のように、取り付ける。
まず図４に示すように、まず現場貼り外装材３の下実３ａを前記他の外装材付き壁パネル５の接合部３０側に位置する外装材５４の上実５４ａの下側に差し込む。そして、現場貼り外装材３の上実３ａを前記外装材付き壁パネル１の側端部に位置する外装材１４の下実１４ａの上に重ね合わせる。そして、このように重ね合わされた現場貼り外装材３を釘打ち等によって前記延出胴縁２に固定する。
上記のようにして、本実施の形態の外装材付き壁パネル１と他の外装材付き壁パネル５は接合される。そして、上記接合方法によって、本実施の形態の外装材付き壁パネル１の接合構造が得られる。
【００２３】
本実施の形態によれば、前記外装材付き壁パネル１には、一方の端部２１を支点として回転させることで、該外装材付き壁パネル１の外方に延出することが可能である延出胴縁２が取り付けられているので、他の外装材付き壁パネル５と接合した後に、この延出胴縁２を延出させて、他方の端部２２を壁パネル５１に固定するだけで接合部３０に延出胴縁２を取り付けることができる。したがって、前記外装材付き壁パネル１と他の外装材付き壁パネル５とを接合して、該接合部３０に現場貼り外装材３を取り付けるときに、新たに複数の胴縁を接合部３０に位置決めして１本ずつ取り付ける手間を省くことができ、現場での施工効率をより向上させることができる。
【００２４】
また、外装材付き壁パネル１からは延出胴縁２は一方の端部２１が回転可能に壁パネル１１に取り付けられているので、外装材付き壁パネル１を搬送する際や、現場で所定の位置に吊り込む際には、壁パネル１１から突出しないようにしておくことができる。このため、この延出胴縁２が損傷したりすることがなく、他の外装材付き壁パネル５等に当たって損傷させたりするということがない。
【００２５】
また、前記現場貼り外装材３と、外装材付き壁パネル１に予め取り付けられている外装材４、１４および他の外装材付き壁パネル５に予め取り付けられている外装材４、５４は、それぞれ一方の側端部には上実３ａ、４ａ、５４ａが形成され、他方の側端部には下実３ｂ、４ｂ、１４ｂが形成されている。このように、現場貼り外装材３と予め取り付けておく外装材４と接合部３０側に位置する外装材１４、５４とを等しいものを利用することができるので、従来のように側端部の実の形状が異なる３種類の外装材を用意する必要がない。このため、外装材付き壁パネル１、５を製作するための加工設備および加工情報の簡素化を図り、その生産効率を向上させることができ、コスト低減を達成することができる。
【００２６】
また、本実施の形態によれば、前記外装材付き壁パネル１には、それぞれ防水透湿シート１２、５２が外装材付き壁パネル１の側端部から延出するようにして取り付けられており、前記外装材付き壁パネル１どうしを接合した後に、この防水透湿シート１２、５２どうしを重ね合わせた上で、前記延出胴縁２を他の外装材付き壁パネル５側に延出させている。このように、これら防水透湿シート１２、５２を延出胴縁２で押さえることができるので、タッカー打ちによって壁パネル１１、５１に防水透湿シート１２、２５を容易に取り付けることができる。このため、従来のように、手で重ね合わされた防水透湿シートを押さえながら、タッカー打ちをするといった煩雑な手間を要せず、現場での施工効率が向上する。
【００２７】
また、現場貼り外装材３を、前記外装材付き壁パネル１の側端部に位置する外装材１４と他の外装材付き壁パネル５の側端部に位置する外装材５４との間に取り付けるに際して、前記延出胴縁２とそれぞれの外装材付き壁パネル１に取り付けられた胴縁１３、５３との間には所定の間隔が設けられている。このため、前記現場貼り外装材３の下実部３ｂを前記他の外装材付き壁パネル５の側端部に位置する外装材５４の側端部に形成された上実５４ａの下側に差し込むのが容易である。
【００２８】
本発明は、上記実施の形態に限定されるものではなく、本発明の主旨を逸脱しない範囲で適宜変更可能なのは勿論である。
本実施の形態では、延出胴縁２を一方の端部２１を壁パネル１１に回転可能に固定することで、壁パネル１１の側端部から外方へ延出可能に設けるものとしたが、これに限定されるものではなく、例えば伸縮自在な延出胴縁を該壁パネル１１に取り付けておくものとしてもよいし、要は外装材付き壁パネル１から突出可能に設けられていればそれでよい。
また、本実施の形態では、外装材付き壁パネル１の接合部３０側に位置する外装材１４の側端部には下実１４ｂが形成されているものとし、他の外装材付き壁パネル５の接合部３０側に位置する外装材５４の側端部には上実５４ａが設けられているものとしたが、これに限定されるものではないのは勿論である。
【００２９】
【発明の効果】
請求項１記載の発明によれば、前記延出胴縁は、壁パネルの一方の端部から外方に延出可能に設けられているので、この外装付き壁パネルと他の外装材付き壁パネルとを接合した後に、延出胴縁を延出させた状態で該延出胴縁の他方の端部を他の外装材付き壁パネルに固定するだけで、外装材付き壁パネルどうしの接合部に延出胴縁を取り付けることができる。このため、他の外装材付き壁パネルと接合する際に、該接合部に容易に延出胴縁を取り付けることができ、現場での施工効率をより高めることができる。
また、この外装材付き壁パネルを搬送したり、現場で所定の位置に吊り込んだりする際に、前記延出胴縁が壁パネルから突出していないので、延出胴縁が損傷することはなく、また他の外装材付き壁パネルなどに当たる可能性が少ない。
【００３０】
請求項２記載の発明によれば、請求項１と同様の効果が得られるのは勿論のこと、前記延出胴縁の一方の端部を支点にして胴縁を回転させることだけで、この外装材付き壁パネルの外方に延出させることができる。したがって、この外装材付き壁パネルと他の外装材付き壁パネルとを接合した後に、該接合部に延出胴縁を延出させて他方の端部を他の外装材付き壁パネルに固定するだけで容易に取り付けることができる。このため、現場での施工効率を向上させることができる。
【００３１】
請求項３記載の発明によれば、請求項１または２と同様の効果が得られるのは勿論のこと、前記外装材付き壁パネルと他の外装材付き壁パネルとの接合部に取り付ける現場貼り外装材を、予め工場段階で壁パネルに取り付けられている外装材と同じものを使用することができ、部品点数の増加を防いで、コスト低減を図ることができる。
また、前記現場貼り外装材は、前記延出胴縁に固定すればよく、該延出胴縁は前記外装材付き壁パネルから他の外装材付き壁パネルに延出させて他の端部を固定すれば容易に取り付けることができるので、施工の手間が省力され、現場での施工効率を向上させることができる。
【００３２】
請求項４記載の発明によれば、請求項１または２と同様の効果が得られるのは勿論のこと、前記外装材付き壁パネルに予め取り付けられた外装材のうち、側端部側に位置する外装材の側端部には下実が形成されており、他の外装材付き壁パネルの側端部に位置する外装材の側端部には上実が形成されており、外装材付き壁パネルに予め取り付けるものとする外装材と同様のものを使用することができ、部品点数の増加を防ぐことができる。
そして、この現場貼り外装材は、他の外装材付き壁パネルに延出されて固定された延出胴縁に取り付ければよいので、現場で胴縁を新たに位置決めして取り付けるといった手間を省力することができるので、現場での施工効率を向上させることができる。
【００３３】
請求項５記載の発明によれば、請求項３と同様の効果が得られるのは勿論のこと、前記外装材付き壁パネルには、それぞれ防水透湿シートが外装材付き壁パネルの側端部から延出するようにして取り付けられており、前記外装材付き壁パネルどうしを接合した後に、この防水透湿シートどうしを重ね合わせた上で、前記延出胴縁を他の外装材付き壁パネル側に延出させるので、これら防水透湿シートを重ね合わせた状態で前記延出胴縁で押さえることができる。このため、この重ね合わせ部分をタッカー打ちなどで壁パネルに容易に取り付けることができ、現場での施工効率が向上する。
【図面の簡単な説明】
【図１】本発明の外装材付き壁パネルの一例を示す斜視図である。
【図２】本発明の外装材付き壁パネルおよび外装材付き壁パネルの接合方法の一例を示す斜視図である。
【図３】本発明の外装材付き壁パネルおよび外装材付き壁パネルの接合方法の一例を示す斜視図である。
【図４】本発明の外装材付き壁パネルおよび外装材付き壁パネルの接合方法の一例を示す側面図である。
【図５】従来例を示す側面図である。
【符号の説明】
１    外装材付き壁パネル
１ａ  側端面
１１  壁パネル
１２  防水透湿シート
１３  胴縁
１４  （外装材付き壁パネルの側端部に位置する）外装材
１４ｂ  下実
２    延出胴縁
２１  一方の端部
３    現場貼り外装材
３ａ  （現場貼り外装材の）上実
３ｂ  （現場貼り外装材の）下実
４    外装材
５    他の外装材付き壁パネル
５ａ  （他の外装材付き壁パネルの）側端面
５４  （他の外装材付き壁パネルの側端部に位置する）外装材
５４ａ  上実
【図１】
0003884271.tif 000002
【図２】
0003884271.tif 000003
【図３】
0003884271.tif 000004
【図４】
0003884271.tif 000005
【図５】
0003884271.tif 000006